(57)【要約】  本発明の実施例は、通話を確立する方法、装置及びデバイスを提供し、通信分野に関する。該方法は、ユーザから端末を通じて送信された通話の要求を受信するステップと、前記ユーザの個別情報に対応するプッシュメッセージを確定するステップと、前記端末に前記プッシュメッセージを送信するステップとを含む。本発明の実施例は、通信資源の無駄を避けるため、ユーザが発呼した後、ユーザの個別情報に基づいて、ユーザの個別情報に対応するプッシュメッセージを送信し、通話を確立する方法、装置及びデバイスを提供する。【選択図】図１
2015523016.tif 000002
【特許請求の範囲】
【請求項１】
ユーザから端末を通じて送信された通話の要求を受信するステップと、
前記ユーザの個別情報に対応するプッシュメッセージを確定するステップと、
前記端末に前記プッシュメッセージを送信するステップとを含むことを特徴とする通話を確立する方法。
【請求項２】
前記ユーザの個別情報に対応するプッシュメッセージを確定するステップは、
前記ユーザの個別情報を取得するステップと、
前記ユーザの個別情報に基づいて、前記ユーザの個別情報に対応するプッシュメッセージを選択するステップとを含むことを特徴とする請求項１に記載の通話を確立する方法。
【請求項３】
前記ユーザの個別情報は、
地理的位置、及び／又は
前記ユーザが所望する予め設定したプッシュメッセージのコンテンツタイプを含むことを特徴とする請求項２に記載の通話を確立する方法。
【請求項４】
前記端末に前記プッシュメッセージを送信するステップは、
前記通話の要求の着信側が予め設定された番号である場合、前記端末との通話を確立し、通話中の前記端末に向けて前記プッシュメッセージを送信するステップを含むことを特徴とする請求項１に記載の通話を確立する方法。
【請求項５】
前記方法は更に、
前記端末に前記プッシュメッセージを送信した後、前記ユーザから前記端末を通じて送信された通話を中断する要求を受信した場合、前記端末への前記プッシュメッセージの送信を停止するステップを含むことを特徴とする請求項４に記載の通話を確立する方法。
【請求項６】
前記端末に前記プッシュメッセージを送信するステップは、
前記通話の要求の着信側から送信される、前記通話の要求を許可する指示を受信する前に、前記プッシュメッセージを呼び出し音として前記端末に送信するステップを含むことを特徴とする請求項１に記載の通話を確立する方法。
【請求項７】
前記方法は更に、
前記端末に前記プッシュメッセージを送信した後、前記通話の要求の着信側から送信された接続応答を受信したことが確定した場合、前記端末への前記プッシュメッセージの送信を停止し、前記端末と前記着信側の通話を確立するステップを含むことを特徴とする請求項６に記載の通話を確立する方法。
【請求項８】
前記プッシュメッセージは、
音声メッセージ、画像メッセージ及びビデオメッセージのうち、一つ又は複数を含むことを特徴とする請求項１乃至請求項７のいずれかに記載の通話を確立する方法。
【請求項９】
通話センターにユーザの個別情報を送信するステップと、
前記通話センターに通話の要求を送信した後、前記通話センターから送信される前記ユーザの個別情報に対応するプッシュメッセージを受信するステップとを含むことを特徴とする通話を確立する方法。
【請求項１０】
前記ユーザの個別情報は、
地理的位置、及び／又は
前記ユーザが所望する予め設定したプッシュメッセージのコンテンツタイプを含むことを特徴とする請求項９に記載の通話を確立する方法。
【請求項１１】
前記プッシュメッセージは、
音声メッセージ、画像メッセージ及びビデオメッセージのうち、一つ又は複数を含むことを特徴とする請求項９に記載の通話を確立する方法。
【請求項１２】
ユーザから端末を通じて送信された通話の要求を受信する要求受信ユニットと、
前記ユーザの個別情報に対応するプッシュメッセージを確定するメッセージ準備ユニットと、
前記端末に前記プッシュメッセージを送信するメッセージ送信ユニットとを備えることを特徴とする通話を確立する装置。
【請求項１３】
前記メッセージ準備ユニットは、
前記ユーザの個別情報を取得し、
前記ユーザの個別情報に基づいて、前記ユーザの個別情報に対応するプッシュメッセージを選択することを特徴とする請求項１２に記載の通話を確立する装置。
【請求項１４】
前記ユーザの個別情報は、
地理的位置、及び／又は
前記ユーザが所望する予め設定したプッシュメッセージのコンテンツタイプを含むことを特徴とする請求項１３に記載の通話を確立する装置。
【請求項１５】
前記メッセージ送信ユニットは、
前記通話の要求の着信側が予め設定された番号である場合、前記端末との通話を確立し、通話中の前記端末に向けて前記プッシュメッセージを送信することを特徴とする請求項１２に記載の通話を確立する装置。
【請求項１６】
前記装置は、更に、
前記ユーザから前記端末を通じて送信された通話を中断する要求を受信した場合、前記端末に前記プッシュメッセージを送信することを停止する中断処理ユニットを含むことを特徴とする請求項１５に記載の通話を確立する装置。
【請求項１７】
前記メッセージ送信ユニットは、更に、
前記通話の要求の着信側から送信される、前記通話の要求を許可する指示を受信する前に、前記プッシュメッセージを呼び出し音として前記端末に送信することを特徴とする請求項１２記載の通話を確立する装置。
【請求項１８】
前記装置は、更に、
前記通話の要求の着信側から送信された接続応答を受信したことが確定した場合、前記端末への前記プッシュメッセージの送信を停止し、前記端末と前記着信側の通話を確立する接続応答ユニットを含むことを特徴とする請求項１７に記載の通話を確立する装置。
【請求項１９】
前記プッシュメッセージは、
音声メッセージ、画像メッセージ及びビデオメッセージのうち、一つ又は複数を含むことを特徴とする請求項１２乃至請求項１８のいずれかに記載の通話を確立する装置。
【請求項２０】
通話センターにユーザの個別情報を送信する情報報告ユニットと、
前記通話センターに通話の要求を送信した後、前記通話センターから送信される前記ユーザの個別情報に対応するプッシュメッセージを受信するメッセージ受信ユニットとを備えることを特徴とする通話を確立する装置。
【請求項２１】
前記ユーザの個別情報は、
地理的位置、及び／又は
前記ユーザが所望する予め設定したプッシュメッセージのコンテンツタイプを含むことを特徴とする請求項２０に記載の通話を確立する装置。
【請求項２２】
前記プッシュメッセージは、
音声メッセージ、画像メッセージ及びビデオメッセージのうち、一つ又は複数を含むことを特徴とする請求項２０に記載の通話を確立する装置。
【請求項２３】
一つ又は複数のプロセッサと、
メモリと、
前記メモリに記憶され、前記一つ又は複数のプロセッサにより実行されるように構成された一つ又は複数のモジュールと、を備え、
前記一つ又は複数のモジュールは、
ユーザから端末を通じて送信された通話の要求を受信する機能と、
前記ユーザの個別情報に対応するプッシュメッセージを確定する機能と、
前記端末に前記プッシュメッセージを送信する機能とを有することを特徴とするデバイス。
【請求項２４】
一つ又は複数のプロセッサと、
メモリと、
前記メモリに記憶され、前記一つ又は複数のプロセッサにより実行されるように構成された一つ又は複数のモジュールと、を備え、
前記一つ又は複数のモジュールは、
通話センターにユーザの個別情報を送信する機能と、
前記通話センターに通話の要求を送信した後、前記通話センターから送信される前記ユーザの個別情報に対応するプッシュメッセージを受信する機能とを有することを特徴とするデバイス。
【発明の詳細な説明】
【技術分野】
【０００１】
本発明は通信分野に関し、特に通話を確立する方法、装置及びデバイスに関する。
【背景技術】
【０００２】
技術の発展に伴い、通信手段もますます多くなった。電話を例にすると、一回の通話は通常発信側及び着信側を含む。発信側は電話をかける側で、着信側は受け取る側である。発信側が電話をかけるとき、着信側は色々な原因で直ちに応答することができず、通常しばらくの待ち時間が発生する。関連する技術において、この待ち時間の間、発信側に例えばビープ音又は通信事業者から放送する音楽のような、簡単な呼び出し提示音をフィード・バックする。着信側の電話には着信の知らせがあり、着信側が電話に出れば発信側の呼び出し提示音は中断され、通話状態に入る。電話のつながる前に発信側が聞こえる提示音を、呼び出し音という。通常、呼び出し音は電気通信事業者のデータネットワークを通じて伝送する音声であり、技術的には、例えば端末又はネットワーク上に記憶された音楽、ひいてはビデオ、動画等のような、いかなる呼び出し音が選択できる。呼び出し音は呼び出し過程の違いによって持続時間が定まらないが、通常は秒レベル以上の時間持続し、これは避けられないことである。同様に、ＩＰ電話、インスタントメッセンジャー（Ｉｎｓｔａｎｔ  Ｍｅｓｓｅｎｇｅｒ、ＩＭ）等の通信方式にもこのような呼び出し音に類似した呼び出し待ち過程が存在する。
関連する技術において、呼び出し待ちの過程で発信側のユーザは常に受動的に待つ状態になり、受動的に待つ過程で、ユーザにとって最もよい状況は待ち歌が聴けることのみで、ユーザの個々の需要を考慮しておらず、通信資源を無駄にしている。
【発明の概要】
【０００３】
本発明の実施例は、通信資源の無駄を避けるため、ユーザが発呼した後、ユーザの個別情報に基づいて、ユーザの個別情報に対応するプッシュメッセージを送信し、通話を確立する方法、装置及びデバイスを提供する。
一方で、本発明の実施例が提供する通話を確立する方法は、
ユーザから端末を通じて送信された通話の要求を受信するステップと、
前記ユーザの個別情報に対応するプッシュメッセージを確定するステップと、
前記端末に前記プッシュメッセージを送信するステップとを含む。
もう一方で、本発明の実施例が提供する通話を確立するもう一つの方法は、
通話センターにユーザの個別情報を送信するステップと、
前記通話センターに通話の要求を送信した後、前記通話センターから送信される前記ユーザの個別情報に対応するプッシュメッセージを受信するステップとを含む。
更に一方で、本発明の実施例が提供する通話を確立する装置は、
ユーザから端末を通じて送信された通話の要求を受信する要求受信ユニットと、
前記ユーザの個別情報に対応するプッシュメッセージを確定するメッセージ準備ユニットと、
前記端末に前記プッシュメッセージを送信するメッセージ送信ユニットとを備える。
更に一方で、本発明の実施例が提供する通話を確立するもう一つの装置は、
通話センターにユーザの個別情報を送信する情報報告ユニットと、
前記通話センターに通話の要求を送信した後、前記通話センターから送信される前記ユーザの個別情報に対応するプッシュメッセージを受信するメッセージ受信ユニットとを備える。
更に一方で、本発明の実施例が提供するデバイスは、
一つ又は複数のプロセッサと、
メモリと、
前記メモリに記憶され、前記一つ又は複数のプロセッサにより実行されるように構成された一つ又は複数のモジュールと、を備え、
前記一つ又は複数のモジュールは、
ユーザから端末を通じて送信された通話の要求を受信する機能と、
前記ユーザの個別情報に対応するプッシュメッセージを確定する機能と、
前記端末に前記プッシュメッセージを送信する機能とを有する。
更に一方で、本発明の実施例が提供するもう一つのデバイスは、
一つ又は複数のプロセッサと、
メモリと、
前記メモリに記憶され、前記一つ又は複数のプロセッサにより実行されるように構成された一つ又は複数のモジュールと、を備え、
前記一つ又は複数のモジュールは、
通話センターにユーザの個別情報を送信する機能と、
前記通話センターに通話の要求を送信した後、前記通話センターから送信される前記ユーザの個別情報に対応するプッシュメッセージを受信する機能とを有する。
以上の一般的な説明及び以下の詳細な説明は単なる例示に過ぎず、本発明を限定するものではないことを理解すべきである。
上記の技術的な解決手段から分かるように、本発明は、ユーザから端末を通じて送信された通話の要求を受信し、前記ユーザの個別情報に対応するプッシュメッセージを確定し、前記端末に前記プッシュメッセージを送信する。ユーザが通話の要求を送信した後、ユーザの個別情報に対応するプッシュメッセージを設定し、該プッシュメッセージをユーザに送信することで、呼び出し待ちの過程における通信資源及び時間資源を有効に利用し、呼び出し待ちの過程を改善した。
【図面の簡単な説明】
【０００４】
【図１】図１は本発明の実施例が提供する通話を確立する方法の例示的なフローチャートである。
【図２】図２は本発明の実施例が提供する通話を確立するもう一つの方法の例示的なフローチャートである。
【図３】図３は本発明の具体的な実施例が提供する通話を確立する方法の例示的なフローチャートである。
【図４】図４は本発明の具体的な実施例が提供する通話を確立するもう一つの方法の例示的なフローチャートである。
【図５】図５は本発明が提供する通話を確立する装置の概略構成図である。
【図６】図６は本発明が提供する通話を確立する装置のもう一つの概略構成図である。
【図７】図７は本発明が提供する通話を確立する装置のもう一つの概略構成図である。
【図８】図８は本発明が提供する通話を確立するもう一つの装置の概略構成図である。  本発明について、上記図面で実施例を明確に示し、以下でより詳細に説明する。これらの図面及び記述は、何らかの方法で本発明の思想の範囲を制限するのではなく、特定な実施例を参照することで当業者に本発明のコンセプトを説明するためのものである。
【発明を実施するための形態】
【０００５】
本発明の実施例は、通信資源の無駄を避けるため、ユーザが発呼した後、ユーザの個別情報に基づいて、ユーザの個別情報に対応するプッシュメッセージを送信し、通話を確立する方法、装置及びデバイスを提供する。
図１に示されるように、本発明の実施例が提供する通話を確立する方法は、以下のステップを含む。
Ｓ１０１において、ユーザから端末を通じて送信された通話の要求を受信し、
Ｓ１０２において、前記ユーザの個別情報に対応するプッシュメッセージを確定し、
Ｓ１０３において、前記端末に前記プッシュメッセージを送信する。
好ましくは、Ｓ１０２においての前記ユーザの個別情報に対応するプッシュメッセージを確定するステップは、前記ユーザの個別情報を取得し、前記ユーザの個別情報に基づいて、前記ユーザの個別情報に対応するプッシュメッセージを選択する方法を含む。
好ましくは、呼び出し待ちの過程において送信又は交換可能なプッシュメッセージを予め記憶しておき、前記ユーザの個別情報を取得し、前記ユーザの個別情報に基づいて、前記ユーザの個別情報に対応するプッシュメッセージを選択する。
好ましくは、前記ユーザの個別情報とは、ユーザデバイスの地理的位置、及び／又は前記ユーザが所望する予め設定したプッシュメッセージのコンテンツタイプを意味する。ユーザデバイスが移動端末である場合、その地理的位置はユーザデバイス自体が備えるＧＰＳ（Ｇｌｏｂａｌ  Ｐｏｓｉｔｉｏｎｉｎｇ  Ｓｙｓｔｅｍ）機能、又は基地局の測位機能を利用して得ることができ、ＧＰＳ機能により取得した地理的位置情報は携帯電話によりプロバイダに報告する必要があり、基地局は前記地理的位置に基づいてユーザデバイスに地理的位置に対応するプッシュメッセージを送信する。また、ユーザが所望する予め設定したプッシュメッセージのコンテンツタイプに基づいても、対応するプッシュメッセージを選択することができる。以上の二つの個別情報を、同時に使用することもできる。以上の二つの個別情報についてユーザデバイスが報告を行っていない状況、又は取得した個別情報に基づいてプッシュメッセージを選択することができない状況では、デフォルト方式で該ユーザデバイスのプッシュメッセージを確定する。
好ましくは、ネットワーク側に複数のプッシュメッセージがあることが確定された場合、優先レベルによって送信してもよく、ランダム方式で送信してもよい。
Ｓ１０３において、前記プッシュメッセージは、例えば移動通信における呼び出し側が設定した待ち歌のような、呼び出し待ち時の応答と重なることは明らかである。
好ましくは、前記端末に前記プッシュメッセージを送信するステップは、前記通話の要求の着信側が予め設定された番号である場合、前記端末との通話を確立し、通話中の前記端末に向けて前記プッシュメッセージを送信する方法を含む。好ましくは、前記ユーザから前記端末を通じて送信された通話を中断する要求を受信した場合、前記端末への前記プッシュメッセージの送信を停止する。
好ましくは、前記端末に前記プッシュメッセージを送信するステップは、前記通話の要求の着信側から送信される、前記通話の要求を許可する指示を受信する前に、前記プッシュメッセージを呼び出し音として前記端末に送信する方法を含む。好ましくは、前記端末に前記プッシュメッセージを送信した後、更に、前記通話の要求の着信側から送信された接続応答を受信したことが確定した場合、前記端末への前記プッシュメッセージの送信を停止し、前記端末と前記着信側の通話を確立することを含む。
好ましくは、前記メッセージには、音声メッセージ、画像メッセージ、ビデオメッセージ、ひいてはＳＭＳが含まれるが、これに限定されない。メッセージのタイプはアプリケーションの状況に依存する。例えば、普通の移動電話及び固定電話等の音声を使う状況では、自分が選択した待ち歌や、音声による商品の紹介等の音声メッセージを採用することしかできないが、第３世代移動通信技術（３ｒｄ−Ｇｅｎｅｒａｔｉｏｎ、略称３Ｇ）のビデオ通話、ＩＭ及びＩＰ電話等の通話ソフトを使う状況では、音声メッセージ又はビデオメッセージ、ひいては画像メッセージを採用し、また、ネットワークの状態が優れない時は、なるべくネットワークに対する要求が比較的低いメッセージタイプを選択する。前記ＩＭは伝統的なパーソナルコンピュータ（Ｐｅｒｓｏｎａｌ  Ｃｏｍｐｕｔｅｒ、略称ＰＣ）端末のＩＭソフトの他に、更に移動端末のＩＭソフト、特には音声のＳＭＳの送信、及びネットワークトラフィック通信を通じてリアルタイム通話ができる移動端末のＩＭソフトも含む。
好ましくは、前記メッセージのコンテンツには、音楽、商品の紹介、イベント情報、地理の紹介等が含まれるが、これに限定されない。
好ましくは、ユーザデバイスのニーズに基づいて、前記プッシュメッセージを送信すると同時に、ユーザデバイスからのフィードバックを受信し、該フィードバックに対し相応の処理を行い、インタラクティブなサービスを提供することができる。
好ましくは、送信しようとするプッシュメッセージがユーザデバイスの地理的位置等の可変的なパラメータと関係がない場合、先にＳ１０２を実行してからＳ１０１を実行することで、送信効率を高める。
好ましくは、送信したそれぞれのプッシュメッセージの聴取時間や、ユーザのフィードバック等のパラメータに対し統計をとることで、メッセージ送信の効果を確定する。
図２に示されるように、本発明の実施例が提供する通話を確立する方法は、以下のステップを含む。
Ｓ２０１において、通話センターにユーザの個別情報を送信し、
Ｓ２０２において、通話センターに通話の要求を送信した後、通話センターから送信される前記ユーザの個別情報に対応するプッシュメッセージを受信する。
好ましくは、前記ユーザの個別情報は、
地理的位置及び／又は
前記ユーザが所望する予め設定したプッシュメッセージのコンテンツタイプを含む。
好ましくは、前記プッシュメッセージは、
音声メッセージ、画像メッセージ及びビデオメッセージのうち、一つ又は複数を含む。
以下、本発明の実施例について説明する。
実施例１
図３に示されるように、移動端末を例にした場合、通話を確立する方法は以下のステップを含む。
Ｓ３０１において、移動端末Ａはもう一つの移動端末Ｂを呼び出し、
Ｓ３０２において、基地局はユーザの個別情報に基づいて、呼び出し待ちの過程において送信しようとする音声メッセージを確定する。例えば、Ａがある観光地にいることを測位した場合、Ａに音声による該観光地の紹介を送信し、また例えば、Ａが設定した所望のプッシュメッセージのコンテンツタイプがスポーツであると確定する場合、Ａに試合メッセージを送信する。
好ましくは、前記ユーザの個別情報は、ユーザデバイスの地理的位置、及び／又は前記ユーザが所望する予め設定したプッシュメッセージのコンテンツタイプを含む。
ユーザの個別情報が地理的位置である場合、該ステップＳ３０２の前に更に、
基地局がユーザの地理的位置を取得することが含まれる。
好ましくは、基地局がユーザを取得する方法は、端末が自身の位置情報を報告することでもよく、又は基地局が移動ネットワークを通じて端末の位置を測位することでもよい。
Ｓ３０３において、基地局は優先順位によって、ユーザデバイスに、確定されたそれぞれの音声メッセージを送信する。
好ましくは、ユーザの個別情報に基づいて、複数のメッセージを確定して取得することができる。例えば、ユーザがショッピングエリアに位置している場合、複数のショップの広告をプッシュメッセージとしてユーザに送信し、またショップの広告費等に基づいて広告メッセージに対し優先順位の配列を行う。
Ｓ３０４において、1個目のメッセージを送信した後、Ａに該メッセージに関連する詳細なメッセージの取得を希望するか否か、希望する場合は「１」を押し、希望しない場合は「０」を押すように、問い合わせる。
Ｓ３０５において、Ａが「１」を押すと、相応の更に詳細なコンテンツを含むメッセージを受信する。
Ｓ３０６において、Ａが２個目のメッセージを聴取しているとき、Ｂが呼び出し要求に応答する。
Ｓ３０７において、基地局はＡに前記メッセージを送信することを停止し、同時に、ＡとＢは正常な通話を始める。
実施例２
図４に示されるように、以下のステップを含む。
Ｓ４０１において、移動端末Ａはもう一つの移動端末Ｂを呼び出し、
Ｓ４０２において、基地局はＡがあるショッピングモールにいることを測位し、該ショッピングモールのセール情報を取得し、
Ｓ４０３において、呼び出し音が鳴っている間、Ａに該ショッピングモールのセール広告を送信し、
Ｓ４０４において、Ｂが通話に応答すると、呼び出し音が停止し、
Ｓ４０５において、基地局は呼び出し音が鳴っている間の広告の送信状況を記録し、
Ｓ４０６において、統計をとった広告の送信回数に基づいて、ショッピングモールのショップに広告費を請求する。
好ましくは、基地局は広告の送信時間を記録する等の方法で広告費を計算することもできる。
図５に示されるように、本発明が提供する通話を確立する装置は、
ユーザから端末を通じて送信された通話の要求を受信する要求受信ユニット５１と、
前記ユーザの個別情報に対応するプッシュメッセージを確定するメッセージ準備ユニット５２と、
前記端末に前記プッシュメッセージを送信するメッセージ送信ユニット５３とを備える。
好ましくは、メッセージ準備ユニット５２は、
前記ユーザの個別情報を取得し、
前記ユーザの個別情報に基づいて、前記ユーザの個別情報に対応するプッシュメッセージを取得する。
好ましくは、前記ユーザの個別情報は、
地理的位置、及び／又は
前記ユーザが所望する予め設定したプッシュメッセージのコンテンツタイプを含む。
好ましくは、メッセージ送信ユニット５３は、
前記通話の要求の着信側が予め設定された番号である場合、前記端末との通話を確立し、通話中の前記端末に向けて前記プッシュメッセージを送信する。
図６に示されるように、好ましくは、前記装置は、更に、
前記ユーザから前記端末を通じて送信された通話を中断する要求を受信した場合、前記端末に前記プッシュメッセージを送信することを停止する中断処理ユニット５４を含む。
好ましくは、メッセージ送信ユニット５３は、更に、
前記通話の要求の着信側から送信される、前記通話の要求を許可する指示を受信する前に、前記プッシュメッセージを呼び出し音として前記端末に送信する。
図７に示されるように、好ましくは、前記装置は、更に、
前記通話の要求の着信側から送信された接続応答を受信したことが確定した場合、前記端末への前記プッシュメッセージの送信を停止し、前記端末と前記着信側の通話を確立する接続応答ユニット５５を含む。
好ましくは、前記プッシュメッセージは、音声メッセージ、画像メッセージ及びビデオメッセージのうち、一つ又は複数を含む。
図８に示されるように、本発明が提供する通話を確立する装置は、
通話センターにユーザの個別情報を送信する情報報告ユニット８１と、
通話センターに通話の要求を送信した後、通話センターから送信される前記ユーザの個別情報に対応するプッシュメッセージを受信するメッセージ受信ユニット８２とを備える。
好ましくは、前記ユーザの個別情報は、
地理的位置、及び／又は
前記ユーザが所望する予め設定したプッシュメッセージのコンテンツタイプを含む。
好ましくは、前記プッシュメッセージは、
音声メッセージ、画像メッセージ及びビデオメッセージのうち、一つ又は複数を含む。
本発明の実施例は更にデバイスを提供し、前記デバイスは、
一つ又は複数のプロセッサと、
メモリと、
前記メモリに記憶され、前記一つ又は複数のプロセッサにより実行されるように構成された一つ又は複数のモジュール（プログラム）と、を備え、
前記一つ又は複数のモジュールは、
ユーザから端末を通じて送信された通話の要求を受信する機能と、
前記ユーザの個別情報に対応するプッシュメッセージを確定する機能と、
前記端末に前記プッシュメッセージを送信する機能とを有する。
好ましくは、前記ユーザの個別情報に対応するプッシュメッセージを確定する機能は、
前記ユーザの個別情報を取得する機能と、
前記ユーザの個別情報に基づいて、前記ユーザの個別情報に対応するプッシュメッセージを選択する機能とを含む。
好ましくは、前記ユーザの個別情報は、
地理的位置、及び／又は
前記ユーザが所望する予め設定したプッシュメッセージのコンテンツタイプを含む。
好ましくは、前記端末に前記プッシュメッセージを送信する機能は、
前記通話の要求の着信側が予め設定された番号である場合、前記端末との通話を確立し、通話中の前記端末に向けて前記プッシュメッセージを送信する機能を含む。
好ましくは、前記一つ又は複数のモジュールは更に、
前記端末に前記プッシュメッセージを送信した後、
前記ユーザから前記端末を通じて送信された通話を中断する要求を受信した場合、前記端末への前記プッシュメッセージの送信を停止する機能を含む。
好ましくは、前記端末に前記プッシュメッセージを送信する機能は、
前記通話の要求の着信側から送信される、前記通話の要求を許可する指示を受信する前に、前記プッシュメッセージを呼び出し音として前記端末に送信する機能を含む。
好ましくは、前記一つ又は複数のモジュールは更に、
前記端末に前記プッシュメッセージを送信した後、前記通話の要求の着信側から送信された接続応答を受信したことが確定した場合、前記端末への前記プッシュメッセージの送信を停止し、前記端末と前記着信側の通話を確立する機能を含む。
好ましくは、前記プッシュメッセージは、
音声メッセージ、画像メッセージ及びビデオメッセージのうち、一つ又は複数を含む。
また、本実施例は更に、不揮発性読み取り可能な記憶媒体を提供し、該記憶媒体には一つ又は複数のモジュール（プログラム）が記憶され、該一つ又は複数のモジュールはタッチスクリーンを有するデバイスに適用される場合、該デバイスは以下のステップのコマンド（命令）を実行することができる。
ユーザから端末を通じて送信された通話の要求を受信するステップと、
前記ユーザの個別情報に対応するプッシュメッセージを確定するステップと、
前記端末に前記プッシュメッセージを送信するステップとのコマンドを実行する。
好ましくは、前記ユーザの個別情報に対応するプッシュメッセージを確定するステップは、 
前記ユーザの個別情報を取得するステップと、
前記ユーザの個別情報に基づいて、前記ユーザの個別情報に対応するプッシュメッセージを選択するステップとを含む。
好ましくは、前記ユーザの個別情報は、
地理的位置、及び／又は
前記ユーザが所望する予め設定したプッシュメッセージのコンテンツタイプを含む。
好ましくは、前記端末に前記プッシュメッセージを送信するステップは、
前記通話の要求の着信側が予め設定された番号である場合、前記端末との通話を確立し、通話中の前記端末に向けて前記プッシュメッセージを送信するステップを含む。
好ましくは、前記一つ又は複数のモジュールによって該デバイスは以下のステップのコマンドを実行することができる。
前記端末に前記プッシュメッセージを送信した後、前記ユーザから前記端末を通じて送信された通話を中断する要求を受信した場合、前記端末への前記プッシュメッセージの送信を停止するステップのコマンドを実行する。
好ましくは、前記端末に前記プッシュメッセージを送信するステップは、
前記通話の要求の着信側から送信される、前記通話の要求を許可する指示を受信する前に、前記プッシュメッセージを呼び出し音として前記端末に送信するステップを含む。
好ましくは、前記一つ又は複数のモジュールによって該デバイスは以下のステップのコマンドを実行することもできる。
前記端末に前記プッシュメッセージを送信した後、前記通話の要求の着信側から送信された接続応答を受信したことが確定した場合、前記端末への前記プッシュメッセージの送信を停止し、前記端末と前記着信側の通話を確立するステップのコマンドを実行する。
好ましくは、前記プッシュメッセージは、
音声メッセージ、画像メッセージ及びビデオメッセージのうち、一つ又は複数を含む。
更に、本発明の実施例はデバイスを提供し、前記デバイスは、
一つ又は複数のプロセッサと、
メモリと、
前記メモリに記憶され、前記一つ又は複数のプロセッサにより実行されるように配置された一つ又は複数のモジュール（プログラム）と、を備え、
前記一つ又は複数のモジュールは、
通話センターにユーザの個別情報を送信する機能と、
通話センターに通話の要求を送信した後、通話センターから送信される前記ユーザの個別情報に対応するプッシュメッセージを受信する機能とを有する。
好ましくは、前記ユーザの個別情報は、
地理的位置、及び／又は
前記ユーザが所望する予め設定したプッシュメッセージのコンテンツタイプを含む。
好ましくは、前記プッシュメッセージは、
音声メッセージ、画像メッセージ及びビデオメッセージのうち、一つ又は複数を含む。
また、更に、本実施例は不揮発性読み取り可能な記憶媒体を提供し、該記憶媒体には一つ又は複数のモジュール（プログラム）が記憶され、該一つ又は複数のモジュールはタッチスクリーンを有するデバイスに適用される場合、該デバイスは以下のステップのコマンドを実行することができる。
通話センターにユーザの個別情報を送信するステップと、
通話センターに通話の要求を送信した後、通話センターから送信される前記ユーザの個別情報に対応するプッシュメッセージを受信するステップとのコマンドを実行する。
好ましくは、前記ユーザの個別情報は、
地理的位置、及び／又は
前記ユーザが所望する予め設定したプッシュメッセージのコンテンツタイプを含む。
好ましくは、前記プッシュメッセージは、
音声メッセージ、画像メッセージ及びビデオメッセージのうち、一つ又は複数を含む。
以上をまとめると、本発明の実施例は、通信資源の無駄を避けるため、ユーザが発呼した後、ユーザの個別情報に基づいて、ユーザの個別情報に対応するプッシュメッセージを送信し、通話を確立する方法、装置及びデバイスを提供する。
当業者は、本発明の実施例が、方法、システム又はコンピュータプログラム製品として提供されることができることを理解すべきである。従って、本発明は完全なハードウェアの実施例、完全なソフトウェアの実施例、又はソフトウェアとハードウェアを組み合わせた実施例の形式を採用することができる。また、本発明はコンピュータプログラムのソースコードを含む一つ又は複数のコンピュータ用記憶媒体（磁気ディスクメモリ及び光学メモリが含まれるが、これに限定されない）において実施されるコンピュータプログラム製品の形式を採用することができる。
本発明の実施例の方法、デバイス（システム）及びコンピュータプログラム製品に基づいたフローチャート及び／又はブロック図を参考に、本発明の説明を行った。コンピュータプログラムコマンドによりフローチャート及び／又はブロック図における各フロー及び／又はブロック、及びフローチャート及び／又はブロック図におけるフロー及び／又はブロックの組み合わせを実現することができることを理解すべきである。汎用コンピュータ、専用コンピュータ、組み込みプロセッサ又はプログラム可能なデータ処理装置のプロセッサにこれらのコンピュータプログラムコマンドを提供することにより機能を実現し、コンピュータ又はその他プログラム可能なデータ処理装置のプロセッサが実行するコマンドを通じて、フローチャートの一つのフロー又は複数のフロー、及び／又はブロック図の一つのブロック又は複数のブロックにおいて指定された機能を実現する装置を生成する。
これらのコンピュータプログラムコマンドは、コンピュータ又はその他のプログラム可能なデータ処理装置が特定の方式で動作するように導くことができる、コンピュータ読み取り可能なメモリに記憶されることもでき、該コンピュータ読み取り可能なメモリに記憶されたコマンドが、コマンド装置を含む製品を生成し、該コマンド装置は、フローチャートにおける一つのフロー又は複数のフロー及び／又はブロック図における一つのブロック又は複数のブロックにおいて指定された機能を実現する。
これらのコンピュータプログラムコマンドは、コンピュータ又はその他プログラム可能なデータ処理装置にインストールすることもでき、コンピュータ又はその他プログラム可能なデータ処理装置において一連のステップを実行することでコンピュータが処理を実現する。これにより、コンピュータ又はその他プログラム可能なデータ処理装置において実行されるコマンドは、フローチャートにおける一つのフロー又は複数のフロー、及び／又はブロック図における一つのブロック又は複数のブロックにおいて指定された機能を実現するためのステップを提供する。
当業者は本発明の趣旨と範囲を逸脱しないという前提で、各種の修正と変更を行うことができることは明らかである。このように、本発明のこれらの修正と変更が本発明の特許請求の範囲及び同等技術の範囲内に属する場合、本発明はこれらの修正と変更を含むことを意図する。
【図１】
2015523016.tif 000003
【図２】
2015523016.tif 000004
【図３】
2015523016.tif 000005
【図４】
2015523016.tif 000006
【図５】
2015523016.tif 000007
【図６】
2015523016.tif 000008
【図７】
2015523016.tif 000009
【図８】
2015523016.tif 000010
【手続補正書】
【提出日】平成26年12月12日(2014.12.12)
【手続補正１】
【補正対象書類名】明細書
【補正対象項目名】全文
【補正方法】変更
【補正の内容】
【発明の詳細な説明】
【技術分野】
【０００１】
本発明は通信分野に関し、特に通話を確立する方法、装置、デバイス、プログラム及び記録媒体に関する。
【背景技術】
【０００２】
技術の発展に伴い、通信手段もますます多くなった。電話を例にすると、一回の通話は通常発信側及び着信側を含む。発信側は電話をかける側で、着信側は受け取る側である。発信側が電話をかけるとき、着信側は色々な原因で直ちに応答することができず、通常しばらくの待ち時間が発生する。関連する技術において、この待ち時間の間、発信側に例えばビープ音又は通信事業者から放送する音楽のような、簡単な呼び出し提示音をフィード・バックする。着信側の電話には着信の知らせがあり、着信側が電話に出れば発信側の呼び出し提示音は中断され、通話状態に入る。電話のつながる前に発信側が聞こえる提示音を、呼び出し音という。通常、呼び出し音は電気通信事業者のデータネットワークを通じて伝送する音声であり、技術的には、例えば端末又はネットワーク上に記憶された音楽、ひいてはビデオ、動画等のような、いかなる呼び出し音が選択できる。呼び出し音は呼び出し過程の違いによって持続時間が定まらないが、通常は秒レベル以上の時間持続し、これは避けられないことである。同様に、ＩＰ電話、インスタントメッセンジャー（Ｉｎｓｔａｎｔ  Ｍｅｓｓｅｎｇｅｒ、ＩＭ）等の通信方式にもこのような呼び出し音に類似した呼び出し待ち過程が存在する。
【０００３】
関連する技術において、呼び出し待ちの過程で発信側のユーザは常に受動的に待つ状態になり、受動的に待つ過程で、ユーザにとって最もよい状況は待ち歌が聴けることのみで、ユーザの個々の需要を考慮しておらず、通信資源を無駄にしている。
【発明の概要】
【０００４】
本発明の実施例は、通信資源の無駄を避けるため、ユーザが発呼した後、ユーザの個別情報に基づいて、ユーザの個別情報に対応するプッシュメッセージを送信し、通話を確立する方法、装置及びデバイスを提供する。
【０００５】
一方で、本発明の実施例が提供する通話を確立する方法は、
ユーザから端末を通じて送信された通話の要求を受信するステップと、
前記ユーザの個別情報に対応するプッシュメッセージを確定するステップと、
前記端末に前記プッシュメッセージを送信するステップとを含む。
【０００６】
もう一方で、本発明の実施例が提供する通話を確立するもう一つの方法は、
通話センターにユーザの個別情報を送信するステップと、
前記通話センターに通話の要求を送信した後、前記通話センターから送信される前記ユーザの個別情報に対応するプッシュメッセージを受信するステップとを含む。
【０００７】
更に一方で、本発明の実施例が提供する通話を確立する装置は、
ユーザから端末を通じて送信された通話の要求を受信する要求受信ユニットと、
前記ユーザの個別情報に対応するプッシュメッセージを確定するメッセージ準備ユニットと、
前記端末に前記プッシュメッセージを送信するメッセージ送信ユニットとを備える。
【０００８】
更に一方で、本発明の実施例が提供する通話を確立するもう一つの装置は、
通話センターにユーザの個別情報を送信する情報報告ユニットと、
前記通話センターに通話の要求を送信した後、前記通話センターから送信される前記ユーザの個別情報に対応するプッシュメッセージを受信するメッセージ受信ユニットとを備える。
【０００９】
更に一方で、本発明の実施例が提供するデバイスは、
一つ又は複数のプロセッサと、
メモリと、
前記メモリに記憶され、前記一つ又は複数のプロセッサにより実行されるように構成された一つ又は複数のモジュールと、を備え、
前記一つ又は複数のモジュールは、
ユーザから端末を通じて送信された通話の要求を受信する機能と、
前記ユーザの個別情報に対応するプッシュメッセージを確定する機能と、
前記端末に前記プッシュメッセージを送信する機能とを有する。
【００１０】
更に一方で、本発明の実施例が提供するもう一つのデバイスは、
一つ又は複数のプロセッサと、
メモリと、
前記メモリに記憶され、前記一つ又は複数のプロセッサにより実行されるように構成された一つ又は複数のモジュールと、を備え、
前記一つ又は複数のモジュールは、
通話センターにユーザの個別情報を送信する機能と、
前記通話センターに通話の要求を送信した後、前記通話センターから送信される前記ユーザの個別情報に対応するプッシュメッセージを受信する機能とを有する。
【００１１】
更に一方で、本発明の実施例は、プロセッサに実行されることにより、上記の通話を確立する方法を実現する記録媒体に記録されたプログラムを提供する。
【００１２】
更に一方で、本発明の実施例は、上記のプログラムが記録された記録媒体を提供する。
【００１３】
以上の一般的な説明及び以下の詳細な説明は単なる例示に過ぎず、本発明を限定するものではないことを理解すべきである。
【００１４】
上記の技術的な解決手段から分かるように、本発明は、ユーザから端末を通じて送信された通話の要求を受信し、前記ユーザの個別情報に対応するプッシュメッセージを確定し、前記端末に前記プッシュメッセージを送信する。ユーザが通話の要求を送信した後、ユーザの個別情報に対応するプッシュメッセージを設定し、該プッシュメッセージをユーザに送信することで、呼び出し待ちの過程における通信資源及び時間資源を有効に利用し、呼び出し待ちの過程を改善した。
【図面の簡単な説明】
【００１５】
【図１】図１は本発明の実施例が提供する通話を確立する方法の例示的なフローチャートである。
【図２】図２は本発明の実施例が提供する通話を確立するもう一つの方法の例示的なフローチャートである。
【図３】図３は本発明の具体的な実施例が提供する通話を確立する方法の例示的なフローチャートである。
【図４】図４は本発明の具体的な実施例が提供する通話を確立するもう一つの方法の例示的なフローチャートである。
【図５】図５は本発明が提供する通話を確立する装置の概略構成図である。
【図６】図６は本発明が提供する通話を確立する装置のもう一つの概略構成図である。
【図７】図７は本発明が提供する通話を確立する装置のもう一つの概略構成図である。
【図８】図８は本発明が提供する通話を確立するもう一つの装置の概略構成図である。
【００１６】
本発明について、上記図面で実施例を明確に示し、以下でより詳細に説明する。これらの図面及び記述は、何らかの方法で本発明の思想の範囲を制限するのではなく、特定な実施例を参照することで当業者に本発明のコンセプトを説明するためのものである。
【発明を実施するための形態】
【００１７】
本発明の実施例は、通信資源の無駄を避けるため、ユーザが発呼した後、ユーザの個別情報に基づいて、ユーザの個別情報に対応するプッシュメッセージを送信し、通話を確立する方法、装置及びデバイスを提供する。
【００１８】
図１に示されるように、本発明の実施例が提供する通話を確立する方法は、以下のステップを含む。
Ｓ１０１において、ユーザから端末を通じて送信された通話の要求を受信し、
Ｓ１０２において、前記ユーザの個別情報に対応するプッシュメッセージを確定し、
Ｓ１０３において、前記端末に前記プッシュメッセージを送信する。
【００１９】
好ましくは、Ｓ１０２においての前記ユーザの個別情報に対応するプッシュメッセージを確定するステップは、前記ユーザの個別情報を取得し、前記ユーザの個別情報に基づいて、前記ユーザの個別情報に対応するプッシュメッセージを選択する方法を含む。
【００２０】
好ましくは、呼び出し待ちの過程において送信又は交換可能なプッシュメッセージを予め記憶しておき、前記ユーザの個別情報を取得し、前記ユーザの個別情報に基づいて、前記ユーザの個別情報に対応するプッシュメッセージを選択する。
【００２１】
好ましくは、前記ユーザの個別情報とは、ユーザデバイスの地理的位置、及び／又は前記ユーザが所望する予め設定したプッシュメッセージのコンテンツタイプを意味する。ユーザデバイスが移動端末である場合、その地理的位置はユーザデバイス自体が備えるＧＰＳ（Ｇｌｏｂａｌ  Ｐｏｓｉｔｉｏｎｉｎｇ  Ｓｙｓｔｅｍ）機能、又は基地局の測位機能を利用して得ることができ、ＧＰＳ機能により取得した地理的位置情報は携帯電話によりプロバイダに報告する必要があり、基地局は前記地理的位置に基づいてユーザデバイスに地理的位置に対応するプッシュメッセージを送信する。また、ユーザが所望する予め設定したプッシュメッセージのコンテンツタイプに基づいても、対応するプッシュメッセージを選択することができる。以上の二つの個別情報を、同時に使用することもできる。以上の二つの個別情報についてユーザデバイスが報告を行っていない状況、又は取得した個別情報に基づいてプッシュメッセージを選択することができない状況では、デフォルト方式で該ユーザデバイスのプッシュメッセージを確定する。
【００２２】
好ましくは、ネットワーク側に複数のプッシュメッセージがあることが確定された場合、優先レベルによって送信してもよく、ランダム方式で送信してもよい。
【００２３】
Ｓ１０３において、前記プッシュメッセージは、例えば移動通信における呼び出し側が設定した待ち歌のような、呼び出し待ち時の応答と重なることは明らかである。
【００２４】
好ましくは、前記端末に前記プッシュメッセージを送信するステップは、前記通話の要求の着信側が予め設定された番号である場合、前記端末との通話を確立し、通話中の前記端末に向けて前記プッシュメッセージを送信する方法を含む。好ましくは、前記ユーザから前記端末を通じて送信された通話を中断する要求を受信した場合、前記端末への前記プッシュメッセージの送信を停止する。
【００２５】
好ましくは、前記端末に前記プッシュメッセージを送信するステップは、前記通話の要求の着信側から送信される、前記通話の要求を許可する指示を受信する前に、前記プッシュメッセージを呼び出し音として前記端末に送信する方法を含む。好ましくは、前記端末に前記プッシュメッセージを送信した後、更に、前記通話の要求の着信側から送信された接続応答を受信したことが確定した場合、前記端末への前記プッシュメッセージの送信を停止し、前記端末と前記着信側の通話を確立することを含む。
【００２６】
好ましくは、前記メッセージには、音声メッセージ、画像メッセージ、ビデオメッセージ、ひいてはＳＭＳが含まれるが、これに限定されない。メッセージのタイプはアプリケーションの状況に依存する。例えば、普通の移動電話及び固定電話等の音声を使う状況では、自分が選択した待ち歌や、音声による商品の紹介等の音声メッセージを採用することしかできないが、第３世代移動通信技術（３ｒｄ−Ｇｅｎｅｒａｔｉｏｎ、略称３Ｇ）のビデオ通話、ＩＭ及びＩＰ電話等の通話ソフトを使う状況では、音声メッセージ又はビデオメッセージ、ひいては画像メッセージを採用し、また、ネットワークの状態が優れない時は、なるべくネットワークに対する要求が比較的低いメッセージタイプを選択する。前記ＩＭは伝統的なパーソナルコンピュータ（Ｐｅｒｓｏｎａｌ  Ｃｏｍｐｕｔｅｒ、略称ＰＣ）端末のＩＭソフトの他に、更に移動端末のＩＭソフト、特には音声のＳＭＳの送信、及びネットワークトラフィック通信を通じてリアルタイム通話ができる移動端末のＩＭソフトも含む。
【００２７】
好ましくは、前記メッセージのコンテンツには、音楽、商品の紹介、イベント情報、地理の紹介等が含まれるが、これに限定されない。
【００２８】
好ましくは、ユーザデバイスのニーズに基づいて、前記プッシュメッセージを送信すると同時に、ユーザデバイスからのフィードバックを受信し、該フィードバックに対し相応の処理を行い、インタラクティブなサービスを提供することができる。
【００２９】
好ましくは、送信しようとするプッシュメッセージがユーザデバイスの地理的位置等の可変的なパラメータと関係がない場合、先にＳ１０２を実行してからＳ１０１を実行することで、送信効率を高める。
【００３０】
好ましくは、送信したそれぞれのプッシュメッセージの聴取時間や、ユーザのフィードバック等のパラメータに対し統計をとることで、メッセージ送信の効果を確定する。
【００３１】
図２に示されるように、本発明の実施例が提供する通話を確立する方法は、以下のステップを含む。
Ｓ２０１において、通話センターにユーザの個別情報を送信し、
Ｓ２０２において、通話センターに通話の要求を送信した後、通話センターから送信される前記ユーザの個別情報に対応するプッシュメッセージを受信する。
【００３２】
好ましくは、前記ユーザの個別情報は、
地理的位置及び／又は
前記ユーザが所望する予め設定したプッシュメッセージのコンテンツタイプを含む。
【００３３】
好ましくは、前記プッシュメッセージは、
音声メッセージ、画像メッセージ及びビデオメッセージのうち、一つ又は複数を含む。
【００３４】
以下、本発明の実施例について説明する。
【００３５】
実施例１
図３に示されるように、移動端末を例にした場合、通話を確立する方法は以下のステップを含む。
Ｓ３０１において、移動端末Ａはもう一つの移動端末Ｂを呼び出し、
Ｓ３０２において、基地局はユーザの個別情報に基づいて、呼び出し待ちの過程において送信しようとする音声メッセージを確定する。例えば、Ａがある観光地にいることを測位した場合、Ａに音声による該観光地の紹介を送信し、また例えば、Ａが設定した所望のプッシュメッセージのコンテンツタイプがスポーツであると確定する場合、Ａに試合メッセージを送信する。
【００３６】
好ましくは、前記ユーザの個別情報は、ユーザデバイスの地理的位置、及び／又は前記ユーザが所望する予め設定したプッシュメッセージのコンテンツタイプを含む。
【００３７】
ユーザの個別情報が地理的位置である場合、該ステップＳ３０２の前に更に、
基地局がユーザの地理的位置を取得することが含まれる。
【００３８】
好ましくは、基地局がユーザを取得する方法は、端末が自身の位置情報を報告することでもよく、又は基地局が移動ネットワークを通じて端末の位置を測位することでもよい。
【００３９】
Ｓ３０３において、基地局は優先順位によって、ユーザデバイスに、確定されたそれぞれの音声メッセージを送信する。
【００４０】
好ましくは、ユーザの個別情報に基づいて、複数のメッセージを確定して取得することができる。例えば、ユーザがショッピングエリアに位置している場合、複数のショップの広告をプッシュメッセージとしてユーザに送信し、またショップの広告費等に基づいて広告メッセージに対し優先順位の配列を行う。
【００４１】
Ｓ３０４において、1個目のメッセージを送信した後、Ａに該メッセージに関連する詳細なメッセージの取得を希望するか否か、希望する場合は「１」を押し、希望しない場合は「０」を押すように、問い合わせる。
【００４２】
Ｓ３０５において、Ａが「１」を押すと、相応の更に詳細なコンテンツを含むメッセージを受信する。
【００４３】
Ｓ３０６において、Ａが２個目のメッセージを聴取しているとき、Ｂが呼び出し要求に応答する。
【００４４】
Ｓ３０７において、基地局はＡに前記メッセージを送信することを停止し、同時に、ＡとＢは正常な通話を始める。
【００４５】
実施例２
図４に示されるように、以下のステップを含む。
Ｓ４０１において、移動端末Ａはもう一つの移動端末Ｂを呼び出し、
Ｓ４０２において、基地局はＡがあるショッピングモールにいることを測位し、該ショッピングモールのセール情報を取得し、
Ｓ４０３において、呼び出し音が鳴っている間、Ａに該ショッピングモールのセール広告を送信し、
Ｓ４０４において、Ｂが通話に応答すると、呼び出し音が停止し、
Ｓ４０５において、基地局は呼び出し音が鳴っている間の広告の送信状況を記録し、
Ｓ４０６において、統計をとった広告の送信回数に基づいて、ショッピングモールのショップに広告費を請求する。
【００４６】
好ましくは、基地局は広告の送信時間を記録する等の方法で広告費を計算することもできる。
【００４７】
図５に示されるように、本発明が提供する通話を確立する装置は、
ユーザから端末を通じて送信された通話の要求を受信する要求受信ユニット５１と、
前記ユーザの個別情報に対応するプッシュメッセージを確定するメッセージ準備ユニット５２と、
前記端末に前記プッシュメッセージを送信するメッセージ送信ユニット５３とを備える。
【００４８】
好ましくは、メッセージ準備ユニット５２は、
前記ユーザの個別情報を取得し、
前記ユーザの個別情報に基づいて、前記ユーザの個別情報に対応するプッシュメッセージを取得する。
【００４９】
好ましくは、前記ユーザの個別情報は、
地理的位置、及び／又は
前記ユーザが所望する予め設定したプッシュメッセージのコンテンツタイプを含む。
【００５０】
好ましくは、メッセージ送信ユニット５３は、
前記通話の要求の着信側が予め設定された番号である場合、前記端末との通話を確立し、通話中の前記端末に向けて前記プッシュメッセージを送信する。
【００５１】
図６に示されるように、好ましくは、前記装置は、更に、
前記ユーザから前記端末を通じて送信された通話を中断する要求を受信した場合、前記端末に前記プッシュメッセージを送信することを停止する中断処理ユニット５４を含む。
【００５２】
好ましくは、メッセージ送信ユニット５３は、更に、
前記通話の要求の着信側から送信される、前記通話の要求を許可する指示を受信する前に、前記プッシュメッセージを呼び出し音として前記端末に送信する。
【００５３】
図７に示されるように、好ましくは、前記装置は、更に、
前記通話の要求の着信側から送信された接続応答を受信したことが確定した場合、前記端末への前記プッシュメッセージの送信を停止し、前記端末と前記着信側の通話を確立する接続応答ユニット５５を含む。
【００５４】
好ましくは、前記プッシュメッセージは、音声メッセージ、画像メッセージ及びビデオメッセージのうち、一つ又は複数を含む。
【００５５】
図８に示されるように、本発明が提供する通話を確立する装置は、
通話センターにユーザの個別情報を送信する情報報告ユニット８１と、
通話センターに通話の要求を送信した後、通話センターから送信される前記ユーザの個別情報に対応するプッシュメッセージを受信するメッセージ受信ユニット８２とを備える。
【００５６】
好ましくは、前記ユーザの個別情報は、
地理的位置、及び／又は
前記ユーザが所望する予め設定したプッシュメッセージのコンテンツタイプを含む。
【００５７】
好ましくは、前記プッシュメッセージは、
音声メッセージ、画像メッセージ及びビデオメッセージのうち、一つ又は複数を含む。
【００５８】
本発明の実施例は更にデバイスを提供し、前記デバイスは、
一つ又は複数のプロセッサと、
メモリと、
前記メモリに記憶され、前記一つ又は複数のプロセッサにより実行されるように構成された一つ又は複数のモジュール（プログラム）と、を備え、
前記一つ又は複数のモジュールは、
ユーザから端末を通じて送信された通話の要求を受信する機能と、
前記ユーザの個別情報に対応するプッシュメッセージを確定する機能と、
前記端末に前記プッシュメッセージを送信する機能とを有する。
【００５９】
好ましくは、前記ユーザの個別情報に対応するプッシュメッセージを確定する機能は、
前記ユーザの個別情報を取得する機能と、
前記ユーザの個別情報に基づいて、前記ユーザの個別情報に対応するプッシュメッセージを選択する機能とを含む。
【００６０】
好ましくは、前記ユーザの個別情報は、
地理的位置、及び／又は
前記ユーザが所望する予め設定したプッシュメッセージのコンテンツタイプを含む。
【００６１】
好ましくは、前記端末に前記プッシュメッセージを送信する機能は、
前記通話の要求の着信側が予め設定された番号である場合、前記端末との通話を確立し、通話中の前記端末に向けて前記プッシュメッセージを送信する機能を含む。
【００６２】
好ましくは、前記一つ又は複数のモジュールは更に、
前記端末に前記プッシュメッセージを送信した後、
前記ユーザから前記端末を通じて送信された通話を中断する要求を受信した場合、前記端末への前記プッシュメッセージの送信を停止する機能を含む。
【００６３】
好ましくは、前記端末に前記プッシュメッセージを送信する機能は、
前記通話の要求の着信側から送信される、前記通話の要求を許可する指示を受信する前に、前記プッシュメッセージを呼び出し音として前記端末に送信する機能を含む。
【００６４】
好ましくは、前記一つ又は複数のモジュールは更に、
前記端末に前記プッシュメッセージを送信した後、前記通話の要求の着信側から送信された接続応答を受信したことが確定した場合、前記端末への前記プッシュメッセージの送信を停止し、前記端末と前記着信側の通話を確立する機能を含む。
【００６５】
好ましくは、前記プッシュメッセージは、
音声メッセージ、画像メッセージ及びビデオメッセージのうち、一つ又は複数を含む。
【００６６】
また、本実施例は更に、不揮発性読み取り可能な記憶媒体を提供し、該記憶媒体には一つ又は複数のモジュール（プログラム）が記憶され、該一つ又は複数のモジュールはタッチスクリーンを有するデバイスに適用される場合、該デバイスは以下のステップのコマンド（命令）を実行することができる。
ユーザから端末を通じて送信された通話の要求を受信するステップと、
前記ユーザの個別情報に対応するプッシュメッセージを確定するステップと、
前記端末に前記プッシュメッセージを送信するステップとのコマンドを実行する。
【００６７】
好ましくは、前記ユーザの個別情報に対応するプッシュメッセージを確定するステップは、 
前記ユーザの個別情報を取得するステップと、
前記ユーザの個別情報に基づいて、前記ユーザの個別情報に対応するプッシュメッセージを選択するステップとを含む。
【００６８】
好ましくは、前記ユーザの個別情報は、
地理的位置、及び／又は
前記ユーザが所望する予め設定したプッシュメッセージのコンテンツタイプを含む。
好ましくは、前記端末に前記プッシュメッセージを送信するステップは、
前記通話の要求の着信側が予め設定された番号である場合、前記端末との通話を確立し、通話中の前記端末に向けて前記プッシュメッセージを送信するステップを含む。
【００６９】
好ましくは、前記一つ又は複数のモジュールによって該デバイスは以下のステップのコマンドを実行することができる。
【００７０】
前記端末に前記プッシュメッセージを送信した後、前記ユーザから前記端末を通じて送信された通話を中断する要求を受信した場合、前記端末への前記プッシュメッセージの送信を停止するステップのコマンドを実行する。
【００７１】
好ましくは、前記端末に前記プッシュメッセージを送信するステップは、
前記通話の要求の着信側から送信される、前記通話の要求を許可する指示を受信する前に、前記プッシュメッセージを呼び出し音として前記端末に送信するステップを含む。
【００７２】
好ましくは、前記一つ又は複数のモジュールによって該デバイスは以下のステップのコマンドを実行することもできる。
【００７３】
前記端末に前記プッシュメッセージを送信した後、前記通話の要求の着信側から送信された接続応答を受信したことが確定した場合、前記端末への前記プッシュメッセージの送信を停止し、前記端末と前記着信側の通話を確立するステップのコマンドを実行する。
【００７４】
好ましくは、前記プッシュメッセージは、
音声メッセージ、画像メッセージ及びビデオメッセージのうち、一つ又は複数を含む。
【００７５】
更に、本発明の実施例はデバイスを提供し、前記デバイスは、
一つ又は複数のプロセッサと、
メモリと、
前記メモリに記憶され、前記一つ又は複数のプロセッサにより実行されるように配置された一つ又は複数のモジュール（プログラム）と、を備え、
前記一つ又は複数のモジュールは、
通話センターにユーザの個別情報を送信する機能と、
通話センターに通話の要求を送信した後、通話センターから送信される前記ユーザの個別情報に対応するプッシュメッセージを受信する機能とを有する。
【００７６】
好ましくは、前記ユーザの個別情報は、
地理的位置、及び／又は
前記ユーザが所望する予め設定したプッシュメッセージのコンテンツタイプを含む。
【００７７】
好ましくは、前記プッシュメッセージは、
音声メッセージ、画像メッセージ及びビデオメッセージのうち、一つ又は複数を含む。
【００７８】
また、更に、本実施例は不揮発性読み取り可能な記憶媒体を提供し、該記憶媒体には一つ又は複数のモジュール（プログラム）が記憶され、該一つ又は複数のモジュールはタッチスクリーンを有するデバイスに適用される場合、該デバイスは以下のステップのコマンドを実行することができる。
通話センターにユーザの個別情報を送信するステップと、
通話センターに通話の要求を送信した後、通話センターから送信される前記ユーザの個別情報に対応するプッシュメッセージを受信するステップとのコマンドを実行する。
【００７９】
好ましくは、前記ユーザの個別情報は、
地理的位置、及び／又は
前記ユーザが所望する予め設定したプッシュメッセージのコンテンツタイプを含む。
【００８０】
好ましくは、前記プッシュメッセージは、
音声メッセージ、画像メッセージ及びビデオメッセージのうち、一つ又は複数を含む。
【００８１】
以上をまとめると、本発明の実施例は、通信資源の無駄を避けるため、ユーザが発呼した後、ユーザの個別情報に基づいて、ユーザの個別情報に対応するプッシュメッセージを送信し、通話を確立する方法、装置及びデバイスを提供する。
【００８２】
当業者は、本発明の実施例が、方法、システム又はコンピュータプログラム製品として提供されることができることを理解すべきである。従って、本発明は完全なハードウェアの実施例、完全なソフトウェアの実施例、又はソフトウェアとハードウェアを組み合わせた実施例の形式を採用することができる。また、本発明はコンピュータプログラムのソースコードを含む一つ又は複数のコンピュータ用記憶媒体（磁気ディスクメモリ及び光学メモリが含まれるが、これに限定されない）において実施されるコンピュータプログラム製品の形式を採用することができる。
【００８３】
本発明の実施例の方法、デバイス（システム）及びコンピュータプログラム製品に基づいたフローチャート及び／又はブロック図を参考に、本発明の説明を行った。コンピュータプログラムコマンドによりフローチャート及び／又はブロック図における各フロー及び／又はブロック、及びフローチャート及び／又はブロック図におけるフロー及び／又はブロックの組み合わせを実現することができることを理解すべきである。汎用コンピュータ、専用コンピュータ、組み込みプロセッサ又はプログラム可能なデータ処理装置のプロセッサにこれらのコンピュータプログラムコマンドを提供することにより機能を実現し、コンピュータ又はその他プログラム可能なデータ処理装置のプロセッサが実行するコマンドを通じて、フローチャートの一つのフロー又は複数のフロー、及び／又はブロック図の一つのブロック又は複数のブロックにおいて指定された機能を実現する装置を生成する。
【００８４】
これらのコンピュータプログラムコマンドは、コンピュータ又はその他のプログラム可能なデータ処理装置が特定の方式で動作するように導くことができる、コンピュータ読み取り可能なメモリに記憶されることもでき、該コンピュータ読み取り可能なメモリに記憶されたコマンドが、コマンド装置を含む製品を生成し、該コマンド装置は、フローチャートにおける一つのフロー又は複数のフロー及び／又はブロック図における一つのブロック又は複数のブロックにおいて指定された機能を実現する。
【００８５】
これらのコンピュータプログラムコマンドは、コンピュータ又はその他プログラム可能なデータ処理装置にインストールすることもでき、コンピュータ又はその他プログラム可能なデータ処理装置において一連のステップを実行することでコンピュータが処理を実現する。これにより、コンピュータ又はその他プログラム可能なデータ処理装置において実行されるコマンドは、フローチャートにおける一つのフロー又は複数のフロー、及び／又はブロック図における一つのブロック又は複数のブロックにおいて指定された機能を実現するためのステップを提供する。
【００８６】
当業者は本発明の趣旨と範囲を逸脱しないという前提で、各種の修正と変更を行うことができることは明らかである。このように、本発明のこれらの修正と変更が本発明の特許請求の範囲及び同等技術の範囲内に属する場合、本発明はこれらの修正と変更を含むことを意図する。
【手続補正２】
【補正対象書類名】特許請求の範囲
【補正対象項目名】全文
【補正方法】変更
【補正の内容】
【特許請求の範囲】
【請求項１】
ユーザから端末を通じて送信された通話の要求を受信するステップと、
前記ユーザの個別情報に対応するプッシュメッセージを確定するステップと、
前記端末に前記プッシュメッセージを送信するステップとを含むことを特徴とする通話を確立する方法。
【請求項２】
前記ユーザの個別情報に対応するプッシュメッセージを確定するステップは、
前記ユーザの個別情報を取得するステップと、
前記ユーザの個別情報に基づいて、前記ユーザの個別情報に対応するプッシュメッセージを選択するステップとを含むことを特徴とする請求項１に記載の通話を確立する方法。
【請求項３】
前記ユーザの個別情報は、
地理的位置、及び／又は
前記ユーザが所望する予め設定したプッシュメッセージのコンテンツタイプを含むことを特徴とする請求項２に記載の通話を確立する方法。
【請求項４】
前記端末に前記プッシュメッセージを送信するステップは、
前記通話の要求の着信側が予め設定された番号である場合、前記端末との通話を確立し、通話中の前記端末に向けて前記プッシュメッセージを送信するステップを含むことを特徴とする請求項１に記載の通話を確立する方法。
【請求項５】
前記方法は更に、
前記端末に前記プッシュメッセージを送信した後、前記ユーザから前記端末を通じて送信された通話を中断する要求を受信した場合、前記端末への前記プッシュメッセージの送信を停止するステップを含むことを特徴とする請求項４に記載の通話を確立する方法。
【請求項６】
前記端末に前記プッシュメッセージを送信するステップは、
前記通話の要求の着信側から送信される、前記通話の要求を許可する指示を受信する前に、前記プッシュメッセージを呼び出し音として前記端末に送信するステップを含むことを特徴とする請求項１に記載の通話を確立する方法。
【請求項７】
前記方法は更に、
前記端末に前記プッシュメッセージを送信した後、前記通話の要求の着信側から送信された接続応答を受信したことが確定した場合、前記端末への前記プッシュメッセージの送信を停止し、前記端末と前記着信側の通話を確立するステップを含むことを特徴とする請求項６に記載の通話を確立する方法。
【請求項８】
前記プッシュメッセージは、
音声メッセージ、画像メッセージ及びビデオメッセージのうち、一つ又は複数を含むことを特徴とする請求項１乃至請求項７のいずれかに記載の通話を確立する方法。
【請求項９】
通話センターにユーザの個別情報を送信するステップと、
前記通話センターに通話の要求を送信した後、前記通話センターから送信される前記ユーザの個別情報に対応するプッシュメッセージを受信するステップとを含むことを特徴とする通話を確立する方法。
【請求項１０】
前記ユーザの個別情報は、
地理的位置、及び／又は
前記ユーザが所望する予め設定したプッシュメッセージのコンテンツタイプを含むことを特徴とする請求項９に記載の通話を確立する方法。
【請求項１１】
前記プッシュメッセージは、
音声メッセージ、画像メッセージ及びビデオメッセージのうち、一つ又は複数を含むことを特徴とする請求項９に記載の通話を確立する方法。
【請求項１２】
ユーザから端末を通じて送信された通話の要求を受信する要求受信ユニットと、
前記ユーザの個別情報に対応するプッシュメッセージを確定するメッセージ準備ユニットと、
前記端末に前記プッシュメッセージを送信するメッセージ送信ユニットとを備えることを特徴とする通話を確立する装置。
【請求項１３】
前記メッセージ準備ユニットは、
前記ユーザの個別情報を取得し、
前記ユーザの個別情報に基づいて、前記ユーザの個別情報に対応するプッシュメッセージを選択することを特徴とする請求項１２に記載の通話を確立する装置。
【請求項１４】
前記ユーザの個別情報は、
地理的位置、及び／又は
前記ユーザが所望する予め設定したプッシュメッセージのコンテンツタイプを含むことを特徴とする請求項１３に記載の通話を確立する装置。
【請求項１５】
前記メッセージ送信ユニットは、
前記通話の要求の着信側が予め設定された番号である場合、前記端末との通話を確立し、通話中の前記端末に向けて前記プッシュメッセージを送信することを特徴とする請求項１２に記載の通話を確立する装置。
【請求項１６】
前記装置は、更に、
前記ユーザから前記端末を通じて送信された通話を中断する要求を受信した場合、前記端末に前記プッシュメッセージを送信することを停止する中断処理ユニットを含むことを特徴とする請求項１５に記載の通話を確立する装置。
【請求項１７】
前記メッセージ送信ユニットは、更に、
前記通話の要求の着信側から送信される、前記通話の要求を許可する指示を受信する前に、前記プッシュメッセージを呼び出し音として前記端末に送信することを特徴とする請求項１２記載の通話を確立する装置。
【請求項１８】
前記装置は、更に、
前記通話の要求の着信側から送信された接続応答を受信したことが確定した場合、前記端末への前記プッシュメッセージの送信を停止し、前記端末と前記着信側の通話を確立する接続応答ユニットを含むことを特徴とする請求項１７に記載の通話を確立する装置。
【請求項１９】
前記プッシュメッセージは、
音声メッセージ、画像メッセージ及びビデオメッセージのうち、一つ又は複数を含むことを特徴とする請求項１２乃至請求項１８のいずれかに記載の通話を確立する装置。
【請求項２０】
通話センターにユーザの個別情報を送信する情報報告ユニットと、
前記通話センターに通話の要求を送信した後、前記通話センターから送信される前記ユーザの個別情報に対応するプッシュメッセージを受信するメッセージ受信ユニットとを備えることを特徴とする通話を確立する装置。
【請求項２１】
前記ユーザの個別情報は、
地理的位置、及び／又は
前記ユーザが所望する予め設定したプッシュメッセージのコンテンツタイプを含むことを特徴とする請求項２０に記載の通話を確立する装置。
【請求項２２】
前記プッシュメッセージは、
音声メッセージ、画像メッセージ及びビデオメッセージのうち、一つ又は複数を含むことを特徴とする請求項２０に記載の通話を確立する装置。
【請求項２３】
一つ又は複数のプロセッサと、
メモリと、
前記メモリに記憶され、前記一つ又は複数のプロセッサにより実行されるように構成された一つ又は複数のモジュールと、を備え、
前記一つ又は複数のモジュールは、
ユーザから端末を通じて送信された通話の要求を受信する機能と、
前記ユーザの個別情報に対応するプッシュメッセージを確定する機能と、
前記端末に前記プッシュメッセージを送信する機能とを有することを特徴とするデバイス。
【請求項２４】
一つ又は複数のプロセッサと、
メモリと、
前記メモリに記憶され、前記一つ又は複数のプロセッサにより実行されるように構成された一つ又は複数のモジュールと、を備え、
前記一つ又は複数のモジュールは、
通話センターにユーザの個別情報を送信する機能と、
前記通話センターに通話の要求を送信した後、前記通話センターから送信される前記ユーザの個別情報に対応するプッシュメッセージを受信する機能とを有することを特徴とするデバイス。
【請求項２５】
プロセッサに実行されることにより、請求項１から請求項１１のいずれかに記載の通話を確立する方法を実現する記録媒体に記録されたプログラム。
【請求項２６】
請求項２５に記載のプログラムが記録された記録媒体。
【国際調査報告】
2015523016.tif 000011
2015523016.tif 000012
2015523016.tif 000013
2015523016.tif 000014